(57)【要約】【課題】隣接する外壁パネルに対して所定の内角をなすように配置される外壁パネルを建物の構造躯体に取り付ける外壁パネル取付具であって、従来とは異なる構成で、外壁パネルの製造にかかるコストを低減することができる外壁パネル取付具の提供。【解決手段】外壁パネル取付具１は、第一外壁パネルに対して所定の内角をなすように配置される第二外壁パネルを建物の構造躯体に取り付けるものであり、構造躯体の軸柱に第二外壁パネルを取り付ける取付具本体６と、取付具本体６の一方の側端部に設けられる柱側取付体７と、取付具本体６の他方の側端部に設けられるパネル側取付体８とを備える。取付具本体６は、板バネとされ、両側端部が近接離隔することで、パネル側取付体８が柱側取付体７に対して揺動可能とされている。【選択図】図１
2019044405.tif 000002
【特許請求の範囲】
【請求項１】
第一外壁パネルに対して所定の内角をなすように配置される第二外壁パネルを建物の構造躯体に取り付ける外壁パネル取付具であって、
前記構造躯体の軸柱に前記第二外壁パネルを取り付ける取付具本体と、
前記取付具本体の一方の側端部に設けられ、前記軸柱に屋外側から取り付けられる柱側取付体と、
前記取付具本体の他方の側端部に設けられ、前記第二外壁パネルの側端部が屋外側から取り付けられるパネル側取付体とを備え、
前記取付具本体は、前記パネル側取付体が前記柱側取付体に対して前記建物の屋内外方向へ揺動可能とされる
ことを特徴とする外壁パネル取付具。
【請求項２】
前記取付具本体は、板バネとされており、
前記板バネの両側端部が近接離隔することで、前記パネル側取付体が前記柱側取付体に対して揺動可能とされている
ことを特徴とする請求項１に記載の外壁パネル取付具。
【請求項３】
前記板バネは、両側端部間方向の中途部で鈍角に折り曲げられて形成されている
ことを特徴とする請求項２に記載の外壁パネル取付具。
【請求項４】
前記柱側取付体と前記パネル側取付体とは、側端部同士が前記揺動を可能とするヒンジを介して連結される
ことを特徴とする請求項１〜３のいずれか１項に記載の外壁パネル取付具。
【請求項５】
前記パネル側取付体には、前記第二外壁パネルを前記パネル側取付体に取り付ける取付材が設けられ、
前記取付材は、板バネ形状とされ、両側端部方向中途部で折り返されて一対の片部を有し、前記一対の片部が互いに離隔する方向へ弾性変形可能とされており、
前記第二外壁パネルには、前記一対の片部間に差し込まれる差込部が設けられており、
前記第二外壁パネルは、前記差込部が前記取付材を前記一対の片部が互いに離隔する方向へ弾性変形させつつ前記一対の片部間に差し込まれることで、前記パネル側取付体に取り付けられる
ことを特徴とする請求項１〜４のいずれか１項に記載の外壁パネル取付具。
【発明の詳細な説明】
【技術分野】
【０００１】
本発明は、外壁パネルを建物の構造躯体に取り付ける外壁パネル取付具に関するものであり、特に、隣接する外壁パネルに対して所定の内角をなすように配置される外壁パネルを建物の構造躯体に取り付ける外壁パネル取付具に関するものである。
【背景技術】
【０００２】
従来、建物の外壁パネルを構造躯体に取り付ける際には、屋内側から施工されることが知られている。この場合、外壁パネルの取付箇所において屋内側に梁、ブレースなどが設置されていることがあり、外壁パネルの構造躯体への取付に手間がかかる。
【０００３】
そこで、本件発明者は、先に、下記特許文献１に開示される外壁パネル取付構造に適用される外壁パネル取付具を提案している。この外壁パネル取付具は、その軸柱側取付片との間で外壁パネルの延出部を挟持する固定片を有している。固定片は、外壁パネル間の縦目地を挟んで屋外側より操作されるネジ部材によって、軸柱側取付片の他端に接近離反可能に固定される。従って、外壁パネルと軸柱とを屋外側から固定することができる。
【先行技術文献】
【特許文献】
【０００４】
【特許文献１】特開２０１０−２０９６３９号公報
【発明の概要】
【発明が解決しようとする課題】
【０００５】
しかしながら、従来の外壁パネル取付具では、たとえば、二枚の平板状の外壁パネルが互いに直角に配置されて入隅部が形成される場合、一方の外壁パネルおよび／または他方の外壁パネルを構造躯体に取り付けることができない。これは、外壁パネル同士が直角に配置されるので、従来の外壁パネル取付具の構成では、二枚の外壁パネルの間の直角部に形成される縦目地からネジ部材を操作して、外壁パネルと軸柱とを固定することができないからである。
【０００６】
この場合、略Ｌ字形状に形成された外壁パネルを建物の入隅部に配置することが考えられる。これにより、前述したように直角部に縦目地が形成されることがなく、略Ｌ字形状の外壁パネルとそれに隣接する平板状の外壁パネルとの間に縦目地が形成されることになり、建物の外壁の平面部に配置される二枚の平板状の外壁パネル間に形成される縦目地と同様とすることできる。
【０００７】
これでは、縦目地の位置の問題を解決して従来の外壁パネル取付具を用いることができるが、略Ｌ字形状の外壁パネルの製造にかかる問題が生じる。略Ｌ字形状の外壁パネルを製造するには、二枚の平板状の外壁パネル同士をＬ字形状になるよう互いに接着したり、キャスティング成形により略Ｌ字形状に一体形成したりする。この場合、平板状の外壁パネルの製造にかかるコストと比較して、製造コストが増加することになる。
【０００８】
本発明は、このような問題に鑑みてなされたものであり、その主たる目的は、隣接する外壁パネルに対して所定の内角をなすように配置される外壁パネルを建物の構造躯体に取り付ける外壁パネル取付具であって、従来とは異なる構成で、外壁パネルの製造にかかるコストを低減することができる外壁パネル取付具を提供することにある。
【課題を解決するための手段】
【０００９】
上記目的を達成するための本発明に係る外壁パネル取付具は、第一外壁パネルに対して所定の内角をなすように配置される第二外壁パネルを建物の構造躯体に取り付ける外壁パネル取付具であって、前記構造躯体の軸柱に前記第二外壁パネルを取り付ける取付具本体と、前記取付具本体の一方の側端部に設けられ、前記軸柱に屋外側から取り付けられる柱側取付体と、前記取付具本体の他方の側端部に設けられ、前記第二外壁パネルの側端部が屋外側から取り付けられるパネル側取付体とを備え、前記取付具本体は、前記パネル側取付体が前記柱側取付体に対して前記建物の屋内外方向へ揺動可能とされる機能を備えることを特徴とする。
【００１０】
また、本発明に係る外壁パネル取付具は、前記取付具本体は、板バネとされており、前記板バネの両側端部が近接離隔することで、前記パネル側取付体が前記柱側取付体に対して揺動可能とされていることを特徴とする。
【００１１】
また、本発明に係る外壁パネル取付具は、前記板バネは、両側端部間方向の中途部で鈍角に折り曲げられて形成されていることを特徴とする。
【００１２】
また、本発明に係る外壁パネル取付具は、前記柱側取付体と前記パネル側取付体とは、側端部同士が前記揺動を可能とするヒンジを介して連結されることを特徴とする。
【００１３】
さらに、本発明に係る外壁パネル取付具は、前記パネル側取付体には、前記第二外壁パネルを前記パネル側取付体に取り付ける取付材が設けられ、前記取付材は、板バネ形状とされ、両側端部方向中途部で折り返されて一対の片部を有し、前記一対の片部が互いに離隔する方向へ弾性変形可能とされており、前記第二外壁パネルには、前記一対の片部間に差し込まれる差込部が設けられており、前記第二外壁パネルは、前記差込部が前記取付材を前記一対の片部が互いに離隔する方向へ弾性変形させつつ前記一対の片部間に差し込まれることで、前記パネル側取付体に取り付けられることを特徴とする。
【発明の効果】
【００１４】
本発明に係る外壁パネル取付具によれば、取付具本体に柱側取付体とパネル側取付体とが設けられた構成である。これにより、屋外側から外壁パネル取付具が軸柱に取り付けられた後、外壁パネル取付具に第二外壁パネルの側端部が取り付けられ、その状態において第二外壁パネルを屋内側へ移動させることができる。従って、外壁パネル取付具は、従来とは異なる構成で、平板状の第二外壁パネルを屋外側から構造躯体に取り付けることができ、外壁パネルの製造にかかるコストを低減することができる。
【００１５】
また、本発明に係る外壁パネル取付具によれば、取付具本体が板バネとされるので、簡易な構成とすることができ、外壁パネル取付具の製造にかかる手間とコストを低減することができる。
【００１６】
また、本発明に係る外壁パネル取付具によれば、板バネが中途部で鈍角に折り曲げられて形成されているので、外壁パネル取付具が軸柱に取り付けられた状態においてパネル側取付体を屋外方向へ傾斜しつつ延出させることができる。従って、延出したパネル側取付体に第二外壁パネルの側端部を取り付ければよいので、屋外側から容易に第二外壁パネルをパネル側取付体に取り付けることができる。
【００１７】
また、本発明に係る外壁パネル取付具によれば、柱側取付体とパネル側取付体とがヒンジを介して連結されるので、柱側取付体とパネル側取付体とをより強固に連結することができる。従って、重量の大きな第二外壁パネルを構造躯体に取り付けることができる。
【００１８】
さらに、本発明に係る外壁パネル取付具によれば、中途部で折り返された板バネ形状の取付材を用いて、パネル側取付体に第二外壁パネルを取り付けることができるので、第二外壁パネルのパネル側取付体への取付を容易に行うことができる。
【図面の簡単な説明】
【００１９】
【図１】本発明の外壁パネル取付具の一実施例を示す平面視横断面図である。
【図２】図１の外壁パネル取付具の斜視図であり、後方から見た状態を示している。
【図３】図１の外壁パネル取付具の分解斜視図である。
【図４】図１の外壁パネル取付具の使用状態を上方から見た説明図であり、軸柱に外壁パネル取付具を取り付けた後、外壁パネル取付具に第二外壁パネルが取り付けられる状態を示している。
【図５】図４の状態から、第二外壁パネルを屋内側へ移動させる状態を示している。
【図６】図１の外壁パネル取付具の変形例を示す平面視横断面図である。
【図７】図６の外壁パネル取付具の斜視図であり、後方から見た状態を示している。
【図８】図６の外壁パネル取付具の分解斜視図である。
【発明を実施するための形態】
【００２０】
以下、本発明の外壁パネル取付具の具体的実施例を図面に基づいて詳細に説明する。
【００２１】
図１から図３は、本発明の外壁パネル取付具の一実施例を示す図であり、図１は平面視横断面図、図２は後方から見た状態を示す斜視図、図３は分解斜視図である。また、図４は、図１の外壁パネル取付具の使用状態を上方から見た説明図であり、軸柱に外壁パネル取付具を取り付けた後、外壁パネル取付具に第二外壁パネルが取り付けられる状態を示している。図５は、図４の状態から、第二外壁パネルを屋内側へ移動させる状態を示している。本実施例の外壁パネル取付具１は、第一外壁パネル２に対して屋外側において所定の内角をなすように配置される第二外壁パネル３を建物の構造躯体４に取り付けるものであり、構造躯体４の軸柱５に第二外壁パネル３を取り付ける取付具本体６と、取付具本体６の一方（後方）の側端部に設けられる柱側取付体７と、取付具本体６の他方（前方）の側端部に設けられるパネル側取付体８とを備える。
【００２２】
取付具本体６は、略矩形板状とされ、板面を左右方向へ向けて配置される。取付具本体６の前端部には、左方へ略円弧状に湾曲して湾曲部９が形成されている。この際、湾曲部９の先端部は、斜め前方へ向けて形成されている。湾曲部９の上下方向略中央部には、円形状のリベット挿通穴１０が形成されている。取付具本体６の湾曲した部分には、側面視略矩形状の貫通穴１１が形成されている。取付具本体６の略中央部には、左右方向へ貫通して長穴１２が形成されている。この長穴１２は、略小判形状とされ、前後方向へ沿って形成されている。取付具本体６の後端部には、上下方向略中央部に左右方向へ貫通して円形状のリベット挿通穴１３が形成されている。
【００２３】
本実施例の取付具本体６は、前後方向中途部が湾曲した形状で、前方の側端部と後方の側端部とを近接離隔させることができる板バネとされる。この板バネ６は、両側端部間の離隔距離を短くするよう弾性変形させることができ、その状態から両側端部間の離隔距離を長くするよう復元しようとするものである。前述したように、板バネ６は、湾曲部９の先端部が斜め前方へ向けて形成されている。すなわち、板バネ６は、両側端部間方向（図示例では前後方向）の中途部で鈍角に折り曲げられて形成されている。
【００２４】
柱側取付体７は、略矩形板状とされ、板面を左右方向へ向けて配置される。柱側取付体７の略中央部には、左右方向へ貫通して長穴１４が形成されている。この長穴１４は、略小判形状とされ、前後方向へ沿って形成されている。柱側取付体７の前端部には、前方へ開口すると共に左右方向へ開口する開口部１５が形成されている。柱側取付体７の後端部には、上下方向略中央部に左右方向へ貫通して円形状のリベット挿通穴１６が形成されている。
【００２５】
柱側取付体７は、リベット１７により板バネ６に取り付けられる。具体的には、板バネ６の右面に柱側取付体７の左面が当接された状態で、柱側取付体７の後端部に形成されたリベット挿通穴１６および板バネ６の後端部に形成されたリベット挿通孔１３を貫通するリベット１７により取り付けられる。この際、板バネ６には、外壁パネル取付具１を軸柱５に固定する固定手段１８が設けられる。
【００２６】
固定手段１８は、ボルト１９を有する第一部材２０と、板状の第二部材２１と、第一部材２０のボルト１９にねじ込まれるナット２２とを備えて構成される。第一部材２０は、ボルト１９と、このボルト１９が設けられる板材２３とを有している。板材２３は、右方へ開口する正面視略コ字形状に形成されており、その内側から中央片２４にボルト１９が貫通して設けられる。なお、板材２３は、単なる平板形状であってもよい。第二部材２１は、右方へ開口する正面視略コ字形状とされ、中央片２５に左右方向へ貫通してボルト挿通穴２６が形成されている。第二部材２１の前端部には、左方へ屈曲して屈曲部２７が形成されている。
【００２７】
図１および図２に示されるように、固定手段１８は、第一部材２０のボルト１９が柱側取付体７の長穴１４および板バネ６の長穴１２を順に貫通した後、板バネ６の左側に配置された第二部材２１のボルト挿通穴２６を貫通して、その状態においてボルト１９にナット２２がねじ込まれる。これにより、外壁パネル取付具１に固定手段１８が取り付けられる。この際、ボルト１９には、コイルバネ２８がはめ込まれる。コイルバネ２８は、内部にボルト１９が貫通した状態で、一端部が第一部材２０の板材２３に接触されると共に、他端部が柱側取付体７に接触される。図示例では、コイルバネ２８は、他端側から一端側へ行くに従って直径が小さくなる略円錐状に形成されている。
【００２８】
パネル側取付体８は、縦断面略コ字形状の板状に形成されており、矩形板状の中央片２９と、この中央片２９の上下両端部に設けられる矩形板状の開放両端片３０，３０とを有している。パネル側取付体８の中央片２９には、一端部にリベット挿通穴３１が形成されると共に、それよりも他端側に上下に離隔してリベット挿通穴３２，３２が形成されている。なお、パネル側取付体８は、単なる平板形状であってもよい。
【００２９】
パネル側取付体８は、リベット３３により板バネ６に取り付けられる。具体的には、板バネ６の湾曲部９の外面にパネル側取付体８の中央片２９の内面が当接された状態で、パネル側取付体８の一端部に形成されたリベット挿通穴３１および板バネ６の湾曲部９に形成されたリベット挿通穴１０を貫通するリベット３３により取り付けられる。この際、パネル側取付体８には、第二外壁パネル３をパネル側取付体８に取り付ける取付材３４が設けられる。
【００３０】
取付材３４は、両側端部方向（図示例では左右方向）中途部で折り返されて一対の片部３５，３５を有している。一対の片部３５，３５の内、一方の片部３５の先端部には上下に離隔して円形状のリベット挿通穴３６，３６が形成されている。また、取付材３４は、板バネ形状に形成されており、一対の片部３５，３５同士が互いに離隔する方向へ弾性変形可能とされている。すなわち、取付材３４は、一対の片部３５，３５間の離隔距離を長くするよう弾性変形させることができ、その状態から一対の片部３５，３５間の距離を短くするよう復元するものである。
【００３１】
図１および図２に示されるように、取付材３４は、パネル側取付体８の他端部へ開口するようにして、一対の片部３５，３５の内、一方の片部３５がパネル側取付体８の中央片２９の内面に固定され、他方の片部３５がパネル側取付体８の中央片２９の外側に配置される。一方の片部３５は、リベット３７によりパネル側取付体８に取り付けられる。具体的には、パネル側取付体８の中央片２９の内面に一方の片部３５の内面が当接された状態で、パネル側取付体８の中央片２９に上下に離隔して形成されたリベット挿通穴３２，３２および一方の片部３５に上下に離隔して形成されたリベット挿通穴３６，３６を貫通するリベット３７，３７により取り付けられる。この際、取付材３４は、板バネ６に形成された側面視略矩形状の貫通穴１１を貫通しつつ、開口部１５が形成された柱側取付体７とパネル側取付体８との間を通った状態で、パネル側取付体８に取り付けられる。なお、取付具本体６と柱側取付体７およびパネル側取付体８との取り付け、取付材３４とパネル側取付体８との取り付けは、リベットに限定されるものではない。
【００３２】
次に、本実施例の外壁パネル取付具１の使用について説明する。図４に示されるように、外壁パネル取付具１は、まず、建物の構造躯体４の軸柱５に固定される。ここでは、軸柱５は、リップ溝形鋼（Ｃ形鋼）とされ、上下方向へ沿って配置される。この際、図示例では、軸柱５は、リップ部３８，３８間の開口が左方へ開口するようにして配置される。
【００３３】
外壁パネル取付具１は、前述した固定手段１８により屋外側から軸柱５に固定される。具体的には、軸柱５内に配置される第一部材２０の板材２３と柱側取付体７とでリップ部３８を挟持した状態で、第一部材２０のボルト１９にナット２２がねじ込まれることで、外壁パネル取付具１が軸柱５に固定される。このようにして、外壁パネル取付具１は、柱側取付体７が屋外側から軸柱５に取り付けられ、その状態において、パネル側取付体８が屋外側へ突出される。なお、外壁パネル取付具１は、上下方向へ沿って配置される軸柱５に、互いに上下に離隔して複数固定される。
【００３４】
そして、軸柱５に固定された複数の外壁パネル取付具１に、平板状の第二外壁パネル３が屋外側から取り付けられる。第二外壁パネル３は、一方（図示例では右方）の側端部に、屋外側へ行くに従って内方（図示例では左方）へ傾斜する傾斜面３９が形成されている。第二外壁パネル３には、取付材３４の一対の片部３５，３５間に差し込まれる差込部４０が設けられる。図示例では、第二外壁パネル３は、一方の側端部に屋内側面へ開口するリップ溝形鋼４１を有している。このリップ溝形鋼４１は、一方（図示例では右方）のリップ部４２に、右方へ延出して略矩形板状の差込部４０が一体形成されている。なお、通常のＣ形鋼に鉄板を固定して差込部４０を形成してもよい。
【００３５】
第二外壁パネル３は、その差込部４０の先端部が一対の片部３５，３５間、具体的にはパネル側取付体８と他方の片部３５との間に差し込まれる。この際、取付材３４は、一対の片部３５，３５間同士が互いに離隔する方向へ弾性変形される。これにより、第二外壁パネル３は、パネル側取付体８に着脱可能に取り付けられる。この際、第二外壁パネル３は、パネル側取付体８が屋外方向へ傾斜して突出しているので、屋外方向へ傾斜して配置される。
【００３６】
このようにして第二外壁パネル３の側端部が屋外側からパネル側取付体８に取り付けられた後、第二外壁パネル３は、屋内方向へ移動される。前述したように、外壁パネル取付具１の取付具本体６が板バネにより構成されているので、外壁パネル取付具１の取付具本体６は、軸柱５に固定された状態において、両側端部を近接離隔することで、パネル側取付体８を柱側取付体７に対して建物の屋内外方向へ揺動可能とされる。従って、第二外壁パネル３を屋内方向へ回動させることができる。第二外壁パネル３の屋内方向への回動後、第二外壁パネル３は、他方の側端部が図示しない軸柱５に屋外側から着脱可能に取り付けられる。これは、隣接する平板状の外壁パネルを屋外側から構造躯体４に取り付ける従来公知の方法で行われる。なお、軸柱５から第二外壁パネル３を取り外す際には、これとは逆の操作を行えばよい。すなわち、構造躯体４から第二外壁パネル３の他方の側端部を屋外側から取り外し、第二外壁パネル３を屋外側へ回動させた後、外壁パネル取付具１から第二外壁パネル３を屋外側から取り外せばよい。
【００３７】
本実施例の外壁パネル取付具１の場合、板バネ６に柱側取付体７とパネル側取付体８とが設けられた構成とされ、屋外側に傾斜して配置された第二外壁パネル３を屋内側へ回動させることができる。従って、外壁パネル取付具１は、従来とは異なる構成で第二外壁パネル３を軸柱５に屋外側から取り付けることができ、入隅部に合うＬ字形状の外壁パネルを用いる場合と比較して、コストを削減することができる。また、本実施例の外壁パネル取付具１の場合、取付具本体６が板バネにより構成されるので、簡易な構成とすることができる。従って、外壁パネル取付具１は、製造や組み付けにかかる手間やコストを低減することができると共に、コンパクト化を図ることができる。
【００３８】
また、本実施例の外壁パネル取付具１の場合、板バネ６が前後方向中途部で鈍角に折り曲げられて形成されているので、パネル側取付体８を屋外方向へ傾斜させつつ延出させることができる。従って、屋外方向へ延出したパネル側取付体８に第二外壁パネル３を取り付けることになり、第二外壁パネル３を外壁パネル取付具１に屋外側から容易に取り付けることができる。また、本実施例の外壁パネル取付具１の場合、第二外壁パネル３が板バネ形状の取付材３４を介してパネル側取付体８に取り付けられる。従って、第二外壁パネル３の差込部４０を取付材３４に差し込むだけで、第二外壁パネル３をパネル側取付体８に取り付けることができ、第二外壁パネル３の外壁パネル取付具１への取り付けを容易に行うことができる。
【００３９】
また、本実施例の外壁パネル取付具１の場合、第二外壁パネル３をビスなどで構造躯体４に固定することがなく、ビスの頭部を目立たなくする処置を行う必要がない。また、本実施例の外壁パネル取付具１の場合、構造躯体４への第二外壁パネル３の取り付け、および構造躯体４からの第二外壁パネル３の取り外しを屋外側から行うことができる。従って、リフォーム時や不具合が発生した場合などにおいて、屋内側の仕上材などを剥がすことなく、第二外壁パネル３の交換を容易に行うことができる。また、地震などの有事の際、第二外壁パネル３を屋外側から取り外して、構造躯体４の点検や補修を行うことができる。この際、第二外壁パネル３に損傷がない場合には、構造躯体４に取り外した第二外壁パネル３を再度取り付けることができる。さらに、本実施例の外壁パネル取付具１の場合、第二外壁パネル３を屋外方向へ突出させることができる。従って、第二外壁パネル３を完全に取り外すことなく、建物の内部を確認することができる。
【００４０】
図６から図８は、本発明の外壁パネル取付具の変形例を示す図であり、図１は平面視横断面図、図２は後方から見た状態を示す斜視図、図３は分解斜視図である。本変形例の外壁パネル取付具１も、基本的には前記実施例と同様である。そこで、以下においては、両者の異なる点を中心に説明し、対応する箇所には同一の符号を付して説明する。
【００４１】
本変形例では、柱側取付体７とパネル側取付体８とがヒンジ４３を介して互いに回動可能に連結される。具体的には、本変形例の柱側取付体７は、前端部の上下方向略中央部に筒体４４を有している。この筒体４４は、上下方向へ開口する略円筒状に形成されており、周側壁が周方向の一部において開放されている。また、本変形例のパネル側取付体８は、一端部に上下方向へ離隔して筒体４５，４５を有している。各筒体４５は、上下方向へ開口する略円筒状に形成されており、周側壁が周方向の一部において開放されている。上下の筒体４５，４５は、同一軸線上に配置される。
【００４２】
このような構成の柱側取付体７とパネル側取付体８とは、枢軸４６にて連結される。図示例では、枢軸４６は、軸方向が上下方向へ沿って配置される枢軸本体４７と、枢軸本体４７に設けられる抜け止め体４８とを有している。枢軸本体４７は、円柱状に形成されており、下端部に拡径部４９が形成されている。この拡径部４９は、直径が各筒体４４，４５の内径よりも大きく形成されている。枢軸本体４７の上面には、ネジ穴５０が形成されている。抜け止め体４８は、枢軸本体４７が筒体４４，４５から抜けるのを防止するものであり、ボルトとされる。このボルト４８の頭部５１は、直径が各筒体４４，４５の内径よりも大きく形成されている。
【００４３】
図６および図７に示されるように、柱側取付体７とパネル側取付体８とは、パネル側取付体８の上下の筒体４５，４５が柱側取付体７の筒体４４を挟んだ状態で、下方から各筒体４４，４５に枢軸本体４７が差し込まれた後、枢軸本体４７のネジ穴５０にボルト４８がねじ込まれることで、互いに回動可能に連結される。前述したように拡径部４９の直径とボルト４８の頭部５１の直径とが各筒体４４，４５の内径よりも大きく形成されているので、各筒体４４，４５から枢軸本体４７が抜けることが防止される。
【００４４】
このような構成により、柱側取付体７とパネル側取付体８とは、枢軸４６まわりに互いに回動可能に連結される。ここで、柱側取付体７とパネル側取付体８とは、上下方向に沿う枢軸４６まわりに互いに回動可能とされるので、板バネ６は、前方の側端部と後方の側端部とを近接離隔させることができる。従って、板バネ６は、外壁パネル取付具１が軸柱５に固定された状態において、両側端部を近接離隔することで、パネル側取付体８を柱側取付体７に対して建物の屋内外方向へ揺動可能とされる。なお、本変形例では、柱側取付体７とパネル側取付体８とが連結された状態で、板バネ６がパネル側取付体８の中央片２９の内面に接触されて、板バネ６にパネル側取付体８が設けられる。
【００４５】
本変形例の場合、柱側取付体７とパネル側取付体８とがヒンジ４３を介して連結される。従って、柱側取付体７とパネル側取付体８とをより強固に連結することができ、重量の大きな第二外壁パネル３を軸柱５に安定して取り付けることができる。
【００４６】
本発明の外壁パネル取付具は、前記実施例および前記変形例の構成に限らず、適宜変更可能である。たとえば、前記実施例では、外壁パネル取付具１にて第二外壁パネル３が軸柱５に取り付けられたが、第二外壁パネル３に対して直角に配置される第一外壁パネル２を外壁パネル取付具１にて軸柱５に取り付けてもよい。すなわち、第一外壁パネル２および／または第二外壁パネル３を外壁パネル取付具１により構造躯体４に取り付けてもよい。なお、第一外壁パネル２は、第二外壁パネル３と同様の構成とされる。さらに、前記実施例および前記変形例において、取付具本体６、柱側取付体７およびパネル側取付体８の構成が適宜変更可能であることは言うまでもない。
【産業上の利用可能性】
【００４７】
本発明の外壁パネル取付具は、隣接する外壁パネルが所定の内角をなすよう配置される場合において、外壁パネルを構造躯体に着脱可能に取り付ける際に好適に適用される。
【符号の説明】
【００４８】
１  外壁パネル取付具
２  第一外壁パネル
３  第二外壁パネル
４  構造躯体
５  軸柱
６  板バネ（取付具本体）
７  柱側取付体
８  パネル側取付体
３４  取付材
３５  片部
４０  差込部
４３  ヒンジ
４４  筒体
４５  筒体
４６  枢軸
【図１】
2019044405.tif 000003
【図２】
2019044405.tif 000004
【図３】
2019044405.tif 000005
【図４】
2019044405.tif 000006
【図５】
2019044405.tif 000007
【図６】
2019044405.tif 000008
【図７】
2019044405.tif 000009
【図８】
2019044405.tif 000010